(57)【特許請求の範囲】
【請求項１】
被写体を照明する照明光を伝達するためのライトガイドの入射端部を操作部に配置すると共に、上記ライトガイドに照明光を供給するための光源ランプとその電源電池とを内蔵した光源ユニットを上記操作部に取り付けた簡易型内視鏡装置において、
側壁部に電池通過窓を有する円筒形状の電池収容室を囲む円筒状に形成された外装ケースが上記電池収容室の外周に沿って軸線方向にスライド自在かつ軸線回りに回転自在に設けられて、上記外装ケースの先側の口元部分を上記光源ユニットに形成されたねじ部に螺合させることにより上記外装ケースが上記電池通過窓を閉じた状態で上記光源ユニットに固定された状態になり、上記外装ケースを軸線方向に後方にスライドさせることにより上記電池を上記電池通過窓から出し入れすることができる状態になるように構成すると共に、上記電池を上記電池通過窓から出し入れすることができる状態において上記外装ケースのそれ以上の後方へのスライドを規制するように互いに当接する一対のストッパを、上記外装ケースの内周面と上記電池収容室の外周面とに設けて、上記一対のストッパのうち少なくとも一方を全周にわたる環状に形成し、上記外装ケースが上記光源ユニットから離脱しないようにしたことを特徴とする簡易型内視鏡装置。
【請求項２】
上記光源ユニットが上記操作部に対して着脱自在である請求項１記載の簡易型内視鏡装置。
【請求項３】
上記外装ケースを閉めた状態では上記光源ユニットに外部から水分が侵入しない水密構造に構成されている請求項１又は２記載の簡易型内視鏡装置。
【発明の詳細な説明】
【０００１】
【発明の属する技術分野】
この発明は、ライトガイドに照明光を供給するための光源ユニットが操作部に取り付けられた簡易型内視鏡装置に関する。
【０００２】
【従来の技術】
操作部に照明用の発光体を設けたいわゆる簡易型の内視鏡装置においては、光源ランプとその電源となる乾電池等を内蔵した光源ユニットが操作部に取り付けられている。
【０００３】
そのような光源ユニットにおいて、電池を収容するための電池収容室は一般に筒状に形成されていて、その末端部に螺合する蓋体を取り外すことにより電池を軸線方向に出し入れできるようになっている。
【０００４】
【発明が解決しようとする課題】
しかし、上述のような従来の構造では、電池を出し入れする際に蓋体を光源ユニットから取り外す必要があるので、その間に蓋体を床等に落として汚損してしまったり、そのまま蓋体を紛失してしまう場合がある。
【０００５】
そこで本発明は、電源電池を出し入れする際に電池収容室の蓋体を落としたり紛失することのない簡易型内視鏡装置を提供することを目的とする。
【０００６】
【課題を解決するための手段】
上記の目的を達成するため、本発明の簡易型内視鏡装置は、被写体を照明する照明光を伝達するためのライトガイドの入射端部を操作部に配置すると共に、上記ライトガイドに照明光を供給するための光源ランプとその電源電池とを内蔵した光源ユニットを上記操作部に取り付けた簡易型内視鏡装置において、上記電池を収容するための電池収容室に上記電池を出し入れする際に開くための開閉自在な蓋体を、上記光源ユニットから離脱しないように設けたことを特徴とする。
【０００７】
なお、上記光源ユニットが上記操作部に対して着脱自在であってもよい。
また、上記蓋体が上記電池収容室を囲む筒状に形成されていて、上記蓋体を軸線方向にスライドさせることによりその内側に収容された電池を側方に取り出すことができる状態になっていてもよい。
【０００８】
そして、上記電池を側方に取り出すことができる状態において上記蓋体のそれ以上のスライドを規制するためのストッパが設けられているとよい。
また、上記蓋体は、口元部分を上記光源ユニットのねじ部に螺合させることにより、閉状態で上記光源ユニットに固定されるようにしてもよく、上記蓋体を閉めた状態では上記光源ユニットに外部から水分が侵入しない水密構造に構成されていてもよい。
【０００９】
【発明の実施の形態】
図面を参照して本発明の実施の形態を説明する。
図５は、内視鏡の操作部２部分の側面図、図６は背面図であり、操作部２の下端部には、可撓管によって外装された挿入部１の基端が連結されている。
【００１０】
操作部２の下側約４分の３の部分は握り部２ａであり、その握り部２ａと挿入部１との間に、鉗子挿入口部４が斜め前方に向けて突出して設けられている。３は、気密に構成された内視鏡の内部の圧力を調整するための圧力調整弁である。
【００１１】
操作部２の握り部２ａより上方の操作機構部５には、挿入部１内に挿通された鉗子チャンネル（図示せず）を通して吸引操作を行うための吸引操作弁６と、挿入部１の先端部分に形成された湾曲部（図示せず）を遠隔的に屈曲操作するための湾曲操作レバー７とが前面と後面に配置され、接眼部８が上面に突設されている。
【００１２】
被写体を照明する照明光を伝達するための照明用ライトガイドファイババンドル９は、入射端部が操作機構部５内に配置されていて、挿入部１内と操作部２の握り部２ａ内を通って、射出端部は挿入部１の先端に配置されている。
【００１３】
そして、ライトガイドファイババンドル９に対して照明光を供給するための光源ユニット３０が、操作機構部５の側面部分から側方に突出する状態に着脱自在に取り付けられている。
【００１４】
図６に示されるように、光源ユニット３０には、ライトガイドファイババンドル９に供給するための照明光を放射する光源ランプ３２と、その光源ランプ３２を点灯させるための電源である電池１００等が内蔵されている。
【００１５】
電池１００としては、乾電池または充電可能なニッケルカドミウム電池等どのような電池を用いてもよい。４５は、光源ランプ３２の点灯と消灯の切り換え操作を行うためのスイッチ環である。
【００１６】
図４は光源ユニット３０の側面図、図３は側面断面図である。光源ユニット３０は、全体として真っ直ぐな筒状に形成されていて、光源ランプ３２を内蔵して操作部２との接続部の近くに位置するランプ室部３０ａと、電池１００を収容して中間部分から突端部にかけて位置する電池収容室部３０ｂとを有している。
【００１７】
３３は、電池収容室部３０ｂを形成する円筒形状の外側筒体であり、耐蝕性（耐薬品性）のよい例えばステンレス鋼や耐薬表面処理を施した金属又はプラスチック等によって形成されている。外側筒体３３の先側の部分はランプ室部３０ａの基部を支持しており、外側筒体３３は光源ユニット３０全体のフレームの役割も果たしている。
【００１８】
外側筒体３３の内側には、導電性のよい例えば銅又はリン青銅のような銅合金等からなる筒状の内側筒体３４が内接して配置されていて、両者は小ネジ３５で固定されて、そのネジ部が接着剤でシールされている。
【００１９】
内側筒体３４は電池１００が嵌挿される内径寸法に形成されていて、その後端部側（ランプ室部３０ａと反対側）には、電池１００の負極端面に当接して電池１００を陽極側（即ち、ランプ室部３０ａ側）に付勢する接点バネ３７が小ネジ３８によって固定されている。その結果、内側筒体３４が接点バネ３７を介して電池１００の負極に電気的につながっている。
【００２０】
外側筒体３３の後端部には、めくら蓋３９が嵌め込まれて、緩まないようにネジ部４０において螺合固定されている。めくら蓋３９と外側筒体３３との嵌合面にはシール用のＯリング４１が装着されている。
【００２１】
外側筒体３３の側壁部には、電池１００を側方に出し入れするための電池通過窓４３が大きく切り欠き形成されている。内側筒体３４は、電池通過窓４３と干渉しない形状に形成されている。
【００２２】
電池通過窓４３は電池１００の長さに比べて若干短く形成されているが、電池１００の負極側端面が接点バネ３７と当接する部分よりやや後方位置まで切り欠かれているので、電池１００を斜めにすることにより電池通過窓４３を通過させることができる。
【００２３】
電池収容室部３０ｂは、外側筒体３３の外側に配置された円筒状の外装ケース２１（蓋体）によって全体が囲まれており、電池通過窓４３部分も外装ケース２１によって完全に囲まれて塞がれている。
【００２４】
外装ケース２１は、外側筒体３３の外周に沿って軸線方向にスライド自在且つ外側筒体３３に対して軸線回りに回転自在に設けられている。そして、外装ケース２１の先側（ランプ室部３０ａ側）の口元近傍には雌ネジ２２が形成されていて、外側筒体３３の外周面に形成された雄ネジ２３と締緩自在に螺合している。
【００２５】
したがって、通常は、図３に示されるように両ネジ２２，２３を螺合させておくことによって外装ケース２１が電池収容室部３０ｂを囲んだ状態に固定され、その前後両端部において、外装ケース２１と外側筒体３３との嵌合部がシール用のＯリング２６，２７により水密にシールされる。
【００２６】
そして、両ネジ２２，２３の螺合を解くことにより、外装ケース２１を後方にスライドさせて、電池通過窓４３から電池１００を出し入れすることができる。２４は、外装ケース２１をスライドさせる際に手を当てるための把持輪２４であり、小ネジ２５によって外側筒体３３に固定されている。
【００２７】
その小ネジ２５によって外装ケース２１の内周面に固定されたストッパ環２８は、外装ケース２１を後方にスライドさせて電池１００を電池通過窓４３から出し入れできる状態の時に、外側筒体３３の末端部に段状に突設されたストッパ部２９に当接する。したがって、外装ケース２１は最大限にスライドさせても電池収容室部３０ｂから外れない。
【００２８】
なお、本実施の形態においてはストッパ環２８とストッパ部２９は共に環状に形成されているが、少なくとも一方が全周に形成されていれば、他方は周の少なくとも一部に設けられていればよい。
【００２９】
スイッチ環４５は、電池収容室部３０ｂの外側筒体３３の外周に回転自在に嵌装されていて、スイッチ環４５にねじ込み及び接着シールされた一対のピン４６，４７が、外側筒体３３に周方向に形成された長溝４８，４９内を貫通して、さらにその内部まで達している。スイッチ環４５の回転範囲は、ピン４６，４７が長溝４８，４９内で回動できる範囲に規制される。
【００３０】
第１のピン４６の回動範囲には、内側筒体３４に接触固定された導電板バネ５１が配置されており、光源ランプ３２の一方の電極に導通する導電盤５２とその導電板バネ５１との接触関係が、第１のピン４６の回動によって変化する。
【００３１】
そして、スイッチ環４５を回転操作して、第１のピン４６が回動すると、導電板バネ５１が第１のピン４６に押されて導電盤５２から離接し、光源ランプ３２の点灯状態と消灯状態とが切り換わる。
【００３２】
第２のピン４７の回動範囲には、クリック用板バネ５３が内側筒体３４に固定されていて、そのクリック用板バネ５３のバネ力によって、第２のピン４７が回動範囲の両端位置において弾力的に固定される。
【００３３】
その結果、スイッチ環４５を回転操作することにより、スイッチ環４５はその回転範囲の両端部において弾力的にクリック固定されて静止し、一方の端部位置では光源ランプ３２が点灯され、他方の端部では光源ランプ３２が消灯する。
【００３４】
なお、図４に示されるように、外側筒体３３とスイッチ環４５の表面には、スイッチ環４５の回転位置に対する光源ランプ３２の点灯／消灯を示すための指標が印されている。
【００３５】
図３に戻って、導電板バネ５１とクリック用板バネ５３は共に電気絶縁性の固定用ブロック５４にネジ止めされて固定されている。また、外側筒体３３とスイッチ環４５との嵌合面には、前後に一対のシール用リング５５，５６が装着されていて、長溝４８，４９部分を外部からシールしている。
【００３６】
ランプ室部３０ａは一つのユニットとして構成されていて、その外壁を構成する筒状のランプ室ケース５９は、強度のある例えばステンレス鋼によって形成されていて、その基部には電気絶縁部材６０が螺着され、その電気絶縁部材６０に前述の導電盤５２が螺着されている。
【００３７】
光源ランプ３２を接続するためのソケット６２は導電盤５２に固着されており、光源ランプ３２の第１の電極６３が差し込まれる端子は導電盤５２に接触するように固定され、光源ランプ３２の第２の電極６４が差し込まれる端子は、電池１００の陽極側電極に接触する導電部材６６に導通固定されている。このようにして、光源ランプ３２の第２の電極６４は電池１００の陽極側電極に常時導通している。６８は、電気絶縁性のスペーサである。
【００３８】
ランプ室ケース５９の先端部分（電池収容室部３０ｂと反対側）には、光源ランプ３２から放射された照明光をライトガイドファイババンドル９の入射端面に向けて収束させるための反射鏡７１が、光源ランプ３２の先端発光部を囲むように接合固定されている。
【００３９】
そして、その反射鏡７１の前端面には、透明なカバーガラス７２が押さえナット７３によって固定されている。カバーガラス７２の外周面にはシール剤が塗布されていて、外部からランプ室ケース５９内に水が侵入しないように封止されている。
【００４０】
ランプ室ケース５９の先端外周面には、操作部２側に設けられたユニット受け口金１０の内周面に形成された雌ネジ（図示せず）と螺合する雄ネジ７４が形成されており、その両ネジを螺合させることにより光源ユニット３０が操作部２に連結された状態になる。
【００４１】
すると、光源ランプ３２から放射された照明光が、反射鏡７１で反射されたあと、カバーガラス７２を通過して、ライトガイドファイババンドル９の入射端面に収束、入射する。
【００４２】
そして、ランプ室ケース５９先端の雄ネジ７４と操作部２側との螺合を解くことにより、光源ユニット３０が操作部２から取り外される。７５は、光源ユニット３０が操作部２に接続された状態のときに、ランプ室ケース５９とユニット受け口金１０との嵌合部をシールするためのＯリングである。
【００４３】
ランプ室ケース５９の外周には、ランプ室部３０ａを電池収容室部３０ｂに接続固定するための固定環７７が回転自在に嵌装されており、固定環７７の後端部外周に形成された雄ネジ７８と外側筒体３３の前端部内周に形成された雌ネジ７９とを螺合させることにより、ランプ室部３０ａと電池収容室部３０ｂとが接続固定される。
【００４４】
その際、ランプ室ケース５９と外側筒体３３との間の回転は、ランプ室ケース５９に突設された回転規制ピン８１が外側筒体３３に形成された溝８２に係合することによって規制されている。
【００４５】
また、回転規制ピン８１によってランプ室ケース５９に固定された固定環８３が、ランプ室ケース５９の外周に嵌装されて固定環７７と外側筒体３３との間に挟み付けられ、ランプ室ケース５９と外側筒体３３との軸方向の固定が行われている。８５は、ランプ室ケース５９と外側筒体３３との接続部をシールするためのＯリングである。
【００４６】
このように構成された実施の形態の光源ユニット３０は、外装ケース２１が閉じられた状態では外部から内部に水分が侵入しない完全水密構造に構成されている。
【００４７】
そして、電池１００の寿命が尽きた場合には、まず外装ケース２１を回転させてその口元の雌ネジ２２と外側筒体３３の外周の雄ネジ２３との螺合を解除して、図１及び図２に示されるように、外装ケース２１を後方にスライドさせる。
【００４８】
すると、電池収容室部３０ｂの側面部分に電池通過窓４３が大きく開口するので、そこから内部に収容されている電池１００を側方に取り出し、それに代えて新しい電池１００を陽極側から電池通過窓４３に通して電池収容室部３０ｂ内にセットすることができる。
【００４９】
このとき、外装ケース２１を最大限にスライドさせても、ストッパ環２８がストッパ部２９に当接する位置以上にはスライドできないので、電池交換の作業中に外装ケース２１が光源ユニット３０から外れてしまうことはない。電池交換が済んだら、外装ケース２１を閉じ方向にスライドさせて、元通りの図３及び図４に示される閉蓋状態に戻すことができる。
【００５０】
【発明の効果】
本発明によれば、電池収容室に電池を出し入れする際に開くための開閉自在な蓋体を光源ユニットから離脱しないように設けたので、電池を出し入れする際に蓋体を落としたり紛失するおそれがなく、保守、管理を容易に行うことができる。
【図面の簡単な説明】
【図１】本発明の実施の形態の光源ユニットの開蓋状態の側面断面図である。
【図２】本発明の実施の形態の光源ユニットの開蓋状態の側面図である。
【図３】本発明の実施の形態の光源ユニットの閉蓋状態の側面断面図である。
【図４】本発明の実施の形態の光源ユニットの閉蓋状態の側面図である。
【図５】本発明の実施の形態の簡易型内視鏡装置の側面図である。
【図６】本発明の実施の形態の簡易型内視鏡装置の背面図である。
【符号の説明】
２  操作部
９  ライトガイドファイババンドル
２１  外装ケース（蓋体）
２８  ストッパ環
２９  ストッパ部
３０  光源ユニット
３２  光源ランプ
４３  電池通過窓
１００  電池
【図１】
0003920419.tif 000002
【図２】
0003920419.tif 000003
【図３】
0003920419.tif 000004
【図４】
0003920419.tif 000005
【図５】
0003920419.tif 000006
【図６】
0003920419.tif 000007